(57)【要約】【課題】取り外した際に下地材を補修する手間の少ないドア枠、及び、該ドア枠により実現される新しいドア枠取付構造を提供する。【解決手段】ドア枠１の少なくとも一方の縦枠１１ａ，１１ｂを、縦枠１１ａ，１１ｂの主体を構成する本体枠１５と、内側に備えた嵌合構造により本体枠１５に外側から嵌合する補助枠１６と、本体枠１５と補助枠１６の間に配設されて本体枠１５と補助枠１６の嵌合幅を調節可能とする調整金具とで構成し、該縦枠１１ａ，１１ｂを、補助枠１６の外側面を壁４に当接した状態で、壁４の裏側の躯体３にネジ止めするようにした。かかる構成にあっては、壁４の下地材を殆ど施工することなくドア枠１を取り付けできるため、ドア枠１を取り外した際に下地材を補修しなくてよい。【選択図】図８
2010196461.tif 000002
【特許請求の範囲】
【請求項１】
躯体に固定される左右一対の縦枠を備えてなるドア枠であって、
前記縦枠の少なくとも一方が、縦枠の主体を構成する本体枠と、内側に備えた嵌合構造により本体枠に外側から嵌合する補助枠と、本体枠と補助枠の間に配設されて本体枠と補助枠の嵌合幅を調節可能とする調整金具とを備え、
該縦枠は、補助枠の外側面を壁に当接した状態で、該壁の裏側の躯体にネジ止めされることを特徴とするドア枠。
【請求項２】
前記本体枠は、壁の裏側の躯体に直接ネジ止めされ、前記補助枠は、調整金具を介して本体枠に連結されることを特徴とする請求項１記載のドア枠。
【請求項３】
前記補助枠は本体枠よりも短く、本体枠の外側下端部に補助枠が嵌合しないことにより、縦枠の外側下端部には壁の下端部の幅木を収容する逃げ凹部が形成されており、
さらに、縦枠の外側下端部には、本体枠と幅木の間の空隙を埋めるスペーサが装着されることを特徴とする請求項１又は請求項２に記載のドア枠。
【請求項４】
前記一対の縦枠の上に掛け渡すように天井廻りの躯体に固定される横枠と、
該横枠とドアの上縁の間の開口部を塞ぐように装着される欄間パネルとを備えることを特徴とする請求項１乃至請求項３のいずれか１項に記載のドア枠。
【請求項５】
請求項１乃至請求項４のいずれか１項に記載のドア枠の取付構造であって、
前記本体枠は、補助枠と螺合せずに貫通するネジによって壁の裏側の躯体に直接ネジ止めされることを特徴とするドア枠取付構造。
【請求項６】
請求項４に記載のドア枠の取付構造であって、
前記横枠が、天井に当接した状態で天井の裏側の躯体にネジ止めされることを特徴とするドア枠取付構造。
【発明の詳細な説明】
【技術分野】
【０００１】
本発明は、住宅等に設けられるドア枠及びドア枠取付構造に関する。
【背景技術】
【０００２】
従来、住宅等のドア枠取付構造にあっては、図１１，１２に示すように、ドア枠５１の開口幅を調整するために、柱などの躯体５３とドア枠５１の縦枠６１との間に寸法調整材５４が設けられる（例えば、特許文献１）。また、躯体５３に寸法調整材５４を配設する都合上、壁用の下地材５５をドア枠１ａの取付部分に合うように切断すると共に、寸法調整材５４の表面を隠すように別途細長い下地材５５ａを配設している。また、切断した下地材５５の端部を固定するために、躯体５３に添え間柱５９を配設している。
【０００３】
また、従来のドア枠取付構造にあっては、図１３に示すように、梁などの躯体５７に間柱５８を垂設し、該間柱５８にドア枠５１の横枠６２を固定している。なお、図１１〜１３にあって、５２はドアであり、５６は幅木、６０は廻り縁、６３は天井、６４は下地材５５の表面に張られた仕上材である。
【先行技術文献】
【特許文献】
【０００４】
【特許文献１】特開２００２−１６８０５８号公報
【発明の概要】
【発明が解決しようとする課題】
【０００５】
上記従来のドア枠取付構造にあっては、壁などの下地材をドア枠に合わせて施工しているため、住宅等の間取り変更に伴いドア枠を取り外したり、ドア枠の設置場所を変更したりする場合には下地材の大掛かりな補修が必要であった。
【０００６】
本発明は、かかる現状に鑑みてなされたものであり、取り外した際に下地材を補修する手間の少ないドア枠、及び、該ドア枠により実現される新しいドア枠取付構造の提供を目的とする。
【課題を解決するための手段】
【０００７】
本発明は、躯体に固定される左右一対の縦枠を備えてなるドア枠であって、前記縦枠の少なくとも一方が、縦枠の主体を構成する本体枠と、内側に備えた嵌合構造により本体枠に外側から嵌合する補助枠と、本体枠と補助枠の間に配設されて本体枠と補助枠の嵌合幅を調節可能とする調整金具とを備え、該縦枠は、補助枠の外側面を壁に当接した状態で、該壁の裏側の躯体にネジ止めされることを特徴とするドア枠である。
【０００８】
かかるドア枠にあっては、調整金具によって本体枠と補助枠の嵌合幅を調節することで縦枠の幅を変更することができ、そして、縦枠の幅を変更することで、ドア枠の開口幅を調節可能となる。このように、かかるドア枠は、開口幅の調整機能を有しているため、寸法調整材を介さずに躯体に固定できる。このため、本発明のドア枠は、壁の下地材をドア枠に合わせて施工せずに取り付けることができる。
【０００９】
また、本発明のドア枠にあって、前記本体枠は、壁の裏側の躯体に直接ネジ止めされ、前記補助枠は、調整金具を介して本体枠に連結される構成が提案される。かかる構成にあっては、本体枠が躯体に直接固定されるため、本体枠を躯体に強固に固定できる。すなわち、補助枠のみを直接躯体に固定して、本体枠と補助枠を調整金具で連結した場合には、調整金具の経時的な緩みによってドア枠の開口幅が変化し易いが、本発明のように本体枠を躯体に直接ネジ止めすれば、調整金具が緩んだ場合でもドア枠の開口幅が変化せず、がたつきが生じない。
【００１０】
また、本発明のドア枠にあって、前記補助枠は本体枠よりも短く、本体枠の外側下端部に補助枠が嵌合しないことにより、縦枠の外側下端部には壁の下端部の幅木を収容する逃げ凹部が形成されており、さらに、縦枠の外側下端部には、本体枠と幅木の間の空隙を埋めるスペーサが装着される構成が提案される。かかる構成にあっては、幅木が装着された壁に対して、幅木と干渉させることなく縦枠を取り付けでき、なおかつ、幅木と縦枠の間の空隙をスペーサによって最小限に抑えることができる。
【００１１】
また、本発明のドア枠にあって、前記一対の縦枠の上に掛け渡すように天井廻りの躯体に固定される横枠と、該横枠とドアの上縁の間の開口部を塞ぐように装着される欄間パネルとを備える構成が提案される。かかる構成にあっては、横枠を天井廻りの躯体に直接固定するため、梁などの躯体に間柱を垂設したり、天井廻りの下地材を施工したりする手間を省略できる。
【００１２】
また、本発明の別の態様は、上記本発明のドア枠の取付構造であって、前記本体枠は、補助枠と螺合せずに貫通するネジによって壁の裏側の躯体に直接ネジ止めされることを特徴とするドア枠取付構造である。かかるドア枠取付構造にあっては、ドア枠に合わせて壁の下地材を施工する必要がないため、ドア枠を取り外した際に下地材を補修する手間を省くことができる。また、本体枠を躯体に固定する木ネジは、補助枠と螺合していないため、本体枠を躯体に固定した状態で本体枠と補助枠の嵌合幅を調節できる。
【００１３】
また、本発明の別の態様は、上記欄間パネルを備えた本発明のドア枠の取付構造であって、横枠が天井廻りに設けられた躯体にネジ止めされていることを特徴とするドア枠取付構造である。かかる構成にあっては、ドア枠に合わせて天井廻りの下地材を施工する必要がないため、ドア枠を取り外した際に下地材を補修する手間を省くことができる。
【発明の効果】
【００１４】
以上のように、本発明のドア枠は、壁の下地材を殆ど施工することなく縦枠を取り付けることができるため、間取り変更や内装の更新のためにドア枠を取り外した時に、下地材の補修を最小限で済ますことができる。近年、住宅のロングライフ化が求められており、間取り変更や、内装の更新の容易性が望まれてきているが、本発明のドア枠は、こうした要求に応え得るものである。
【図面の簡単な説明】
【００１５】
【図１】実施例のドア枠１の正面図である。
【図２】縦枠１１ａを内側から見た斜視図である。
【図３】縦枠１１ａを外側から見た斜視図である。
【図４】縦枠１１ａの分解斜視図である。
【図５】調整金具３０を内側から見た側面図である。
【図６】調整金具３０の縦断面図である。
【図７】調整金具３０の使用方法を示す説明図である。
【図８】実施例のドア枠取付構造を示す横断面図である。
【図９】縦枠１１ａの取付構造を示す拡大縦断面図である。
【図１０】実施例のドア枠取付構造を示す天井廻りの縦断面図である。
【図１１】従来のドア枠取付構造を示す横断面図である。
【図１２】図１１のＡ部分の拡大図である。
【図１３】従来のドア枠取付構造を示す天井廻りの縦断面図である。
【発明を実施するための形態】
【００１６】
本発明の実施形態を、以下の実施例に従って説明する。
【００１７】
図１は、本発明の実施例に係るドア枠１の正面図である。ドア枠１は、躯体に固定される左右一対の木製の縦枠１１ａ，１１ｂと、該縦枠１１ａ，１１ｂの上に掛け渡すようにして天井廻りの躯体に固定される木製の横枠１２とを備えている。かかるドア枠１は、住宅内部等に配設される片開きのタイプのドア枠であり、戸先側の縦枠１１ａにはドア２の開閉を掌るストライク１７が設けられ、吊元側の縦枠１１ｂにはドア２を枢支するピボット蝶番１８，１８が設けられる。
【００１８】
ドア枠１の上部開口には矩形の欄間パネル１３が配設される。この欄間パネル１３は、横枠１２とドア２の上縁の間に形成される開口を閉塞するものである。詳述すると、欄間パネル１３は、その上縁を横枠１２の下面の溝部２８に内嵌させるとともに、左右両縁に配設された係合ピン３４，３４を縦枠１１ａ，１１ｂの内側面のパネル係止穴２１に内嵌させることによってドア２と横枠１２の間に取外し困難に組み付けられる。
【００１９】
以下に、縦枠１１ａ，１１ｂの構成を詳細に説明する。なお、本実施例にあって、戸先側の縦枠１１ａと吊元側の縦枠１１ｂは略対称形状をなしており、ストライク１７と蝶番１８の配設部分以外の構造は共通している。このため、以下では、戸先側の縦枠１１ａについてのみを説明し、吊元側の縦枠１１ｂの説明は省略する。
【００２０】
図２〜４に示すように、縦枠１１ａは、縦枠１１ａの主体を構成する本体枠１５と、該本体枠１５に外側から嵌合する補助枠１６と、本体枠１５と補助枠１６の嵌合幅を調節する調整金具３０とを備えている。また、本体枠１５の外側下端部には、補助枠１６とは別にスペーサ１９が嵌合している。
【００２１】
図２に示すように、本体枠１５の内側面には上下に亘って戸当り２０が形成される。また、内側面の中央部にはストライク１７が配設され、内側面の上部には欄間パネル１３を固定するためのパネル係止穴２１が形成される。また、図２，４に示すように、本体枠１５には、枠固定用の木ネジを挿入する内外方向の木ネジ挿入孔２２ａが随所に穿設され，また、木ネジ挿入孔２２ａの直下には、調整金具３０を操作するための調整用ネジ操作孔２３が内外方向に穿設される。
【００２２】
一方、図４に示すように、本体枠１５の外側面には、補助枠２５が嵌合する二本の嵌合溝２５，２５が上下に亘って形成される。また、本体枠１５の外側面には、調整金具３０を装着する矩形状の金具装着凹部２６ａが４箇所形成される。各金具装着凹部２６ａには前記木ネジ挿入孔２２ａと調整用ネジ操作孔２３が夫々一つずつ形成される。
【００２３】
図３，４に示すように、補助枠１６は横断面コ字状をなしており、内側に向いた両端の突部２４，２４を本体枠１５の嵌合溝２５に夫々内嵌させることで本体枠１５と嵌合する。補助枠１６の内側面には、本体枠１５の各金具装着凹部２６ａと対向することとなる位置に矩形状の金具装着凹部２６ｂが形成される。また、補助枠１６には、本体枠１５の各木ネジ挿入孔２２ａと対向する位置に、枠固定用の木ネジを貫通させる木ネジ挿入孔２２ｂが穿設され、本体枠１５の調整用ネジ操作孔２３と対向する位置に調整用ネジ貫通孔２７が穿設される。
【００２４】
図４〜６に示すように、矩形板状をなす内側板部３２と外側板部３３とを調整用ネジ３１で連結してなるものである。内側板部３２は本体枠１５の金具装着凹部２６ａにネジ止めされる。内側板部３２は２枚の金属板を接合してなるものであり、２枚の金属板の間に調整用ネジ３１の頭部が回転可能に保持される。一方、外側板部３２は１枚の金属板からなり、補助枠１６の金具装着凹部２６ｂに装着される。外側板部３２の下部に形成されたネジ孔３５には調整用ネジ３１が螺合しており、調整用ネジ３１を回転すると内側板部３２と外側板部３３が離近移動する。また、内側板部３２と外側板部３３の上部には、調整金具３０を本体枠１５と補助枠１６に固定するための木ネジ挿入孔３６ａ，３６ｂが形成される。また、内側板部３２と外側板部３３の中央部には、縦枠１１ａを固定するための木ネジを挿通させる木ネジ挿入孔３７ａ，３７ｂが夫々形成される。
【００２５】
かかる調整金具３０を備える縦枠１１ａにあっては、図７に示すように、本体枠１５の内側の調整用ネジ操作孔２３から調整用ネジ３１を回転操作して内側板部３２と外側板部３３を離近させることで、本体枠１５と補助枠１６の嵌合幅を調節し、縦枠１１ａの幅を変更できる。そして、本発明のドア枠１では、かかる縦枠１１ａの幅を適宜調整することによって、縦枠１１ａ，１１ｂの間に形成される開口の幅を調整できる。
【００２６】
図１〜４に示すように、補助枠１６は、幅木の高さ分だけ本体枠１５よりも短く設計されている。そして、本体枠１５の外側下端部に補助枠１６を嵌合させないことによって縦枠１１ａの外側下端部に幅木を収容する逃げ凹部２９を形成し、縦枠１１ａを取り付ける際に、補助枠１６が幅木と干渉しないようになっている。さらに、本体枠１５の外側下端部には、補助枠１６が嵌合しない部位に木製のスペーサ１９が嵌合している。スペーサ１９は、横断面コ字状をなす木製板片であり、幅木と略同じ高さに設計され、補助枠１６の下部に連続するようにして本体枠１５の嵌合溝２５の下端部に嵌着される。スペーサ１９は補助枠１６よりも狭幅に設計されており、逃げ凹部２９に収容された幅木と本体枠の間の空隙が該スペーサ１９によって埋められる。
【００２７】
また、図示を省略しているが、本体枠１５、補助枠１６及びスペーサ１９には、外部に露出することとなる部分に予め塗装が施されている。
【００２８】
以下に、本実施例のドア枠１の取付構造を説明する。
図８，９に示すように、縦枠１１ａ，１１ｂは、壁４に補助枠１６の外側面を当接した状態で、枠固定用の木ネジ４０によって躯体（柱）３に夫々固定される。木ネジ４０は、本体枠１５の木ネジ挿入孔２２に内側から挿入されて、補助枠１６の木ネジ挿入孔２２ｂを貫通して躯体３に螺合し、本体枠１５を躯体３に直接固定している。なお、図９において、４ａは壁４の下地材、４ｂは仕上材であり、また、４１と４２は調整金具３０を本体枠１５と補助枠１６に固定する金具固定用の木ネジである。
【００２９】
図１０に示すように、縦枠１１ａ，１１ｂは上端が天井６まで達する長さに設計されている。そして、横枠１２は、天井６に当接した状態で天井６の裏側の梁（躯体）５にネジ止めされることにより、縦枠１１ａ，１１ｂの上に掛け渡すように固定される。このように、本実施例では、天井６や廻り縁８を施工することなく、横枠１２を直接天井６に取り付ける構造となっている。
【００３０】
本実施例のドア枠１を取り付ける場合には、まず、横枠１２を天井６に当接させ、天井廻りの躯体（梁）５に横枠１２を木ネジで固定する。次に、枠の水平垂直、ねじれに注意して、枠固定用の木ネジ４０によって左右の縦枠１１ａ，１１ｂを躯体３に仮固定する（図９参照）。次に、木ネジ４０を一旦緩める。木ネジ４０と補助枠１６は螺合していないため、かかる状態にあっては、調整ネジ３１を回転操作することで縦枠１１ａ，１１ｂの幅を調整できる。そして、ドア枠１が適正な開口幅となるよう縦枠１１ａ，１１ｂを調整した後に、木ネジ４０を締め直して縦枠１１ａ，１１ｂを躯体３に本固定する。横枠１２及び縦枠１１ａ，１１ｂの取付完了後は、欄間パネル１３の上縁を横枠１２の溝部２８に差し込み、さらに、係合ピン３４を縦枠１１ａ，１１ｂに内嵌させて、欄間パネル１３を縦枠１１ａ，１１ｂと横枠１２に組み付ける。最後に、ピボット蝶番１８を吊元側の縦枠１１ｂにネジ止めし、該ピボット蝶番１８にドア２を枢支する。
【００３１】
以上に説明したように、本実施例のドア枠取付構造にあっては、ドア枠１の縦枠１１ａ，１１ｂを壁４に当接させた状態で、木ネジ４０によって躯体（柱）３に固定している。本実施例のドア枠取付構造を、図１１，１２の従来のドア枠取付構造と比較すると、従来のドア枠取付構造はドア枠５１の開口幅を調節するために寸法調整材５４が必要であるが、本実施例のドア枠取付構造ではドア枠１の縦枠１１ａ，１１ｂが開口幅を調節する機能を有しているため寸法調整材が不要となる。
【００３２】
また、本実施例では、寸法調整材の配設が不要となるので、ドア枠に合わせて壁４の下地材４ａを切断等する必要がない。このため、従来構成では下地材５５を固定するための添え間柱５９が必要であったが、本実施例では不要となる。また、従来のドア枠取付構造では、ドア枠５１を取り外すと下地材５５を施工の切断された部分が露出することとなるため大規模な補修が必要となるが、本実施例のドア枠取付構造では、下地材４ａを切断等せずにドア枠１を取り付けるため、ドア枠１を取り外した際に下地材４ａを補修が不要であり、仕上材４ｂを張り直す程度で通常の壁として使用できる。
【００３３】
また、本実施例のドア枠取付構造にあっては、横枠１２が天井廻りの躯体（梁）５に直接木ネジ止めされ、横枠１２とドア２の間に欄間パネル１３を配設している。このため、図１３の従来のドア枠取付構造と比較すると、躯体５７に垂設する間柱５８が不要となり、ドア枠１に合わせて天井の下地材を施工する手間が不要となる。そして、ドア枠１を取り外した際の補修も軽微なもので済む。
【００３４】
また、本実施例のドア枠１は、縦枠１１ａ，１１ｂが、本体枠１５と、該本体枠１５の外側に嵌合する補助枠１６で構成され、本体枠１５と補助枠１６の間に設けられた調整金具３０によって本体枠１５と補助枠１６の嵌合幅を調整可能となっている。したがって、本実施例のドア枠１は、本体枠１５と補助枠１６の嵌合幅を調整し、縦枠１１ａ，１１ｂの幅を変更することで、ドア枠１の開口幅を調整できる。このため、本実施例のドア枠１によれば、縦枠１１ａ，１１ｂを躯体に固定する際に寸法調整材が不要となり、ひいては、壁４の下地材４ａをドア枠１に合わせて施工する手間も不要となる。
【００３５】
また、本実施例にあっては、縦枠１１ａ，１１ｂの本体枠１５は、木ネジ４０によって直接躯体３に固定される。このため、取付後に調整用ネジ３１が緩んだ場合でも、縦枠１１ａ，１１ｂががたつき難いという利点がある。また、木ネジ４０は、補助枠１６の木ネジ挿入孔２２を貫通しており、補助枠１６とは螺合していないから、木ネジ４０で本体枠１５を躯体３に固定した後であっても、調整金具３０によって本体枠１５と補助枠１６の嵌合幅を調整できるという利点がある。
【００３６】
また、本実施例のドア枠１は、縦枠１１ａ，１１ｂの外側下端部に、幅木７を収容する逃げ凹部２９が形成されているため、縦枠１１ａ，１１ｂを壁４に取り付ける際に、縦枠１１ａ，１１ｂと幅木が干渉しない。また、本体枠１５の外側下端部にはスペーサ１９が装着されているため、本体枠１５と幅木７の間に無駄な空隙が生じることもない。
【００３７】
なお、本発明は、上記実施例の形態に限らず本発明の要旨を逸脱しない範囲内において種々変更を加えることができる。例えば、調整金具の機構は、実施例の機構に限らず適宜変更できる。また、調整金具は少なくとも一方の縦枠が備えていればよい。また、実施例のドア枠は、片開きのドア用であったが、本発明のドア枠は両開きのドア用であってもかまわない。また、実施例のドア枠は、天井側にのみ横枠を備えているが、天井と床の両側に横枠を備えていてもかまわない。
【符号の説明】
【００３８】
１，５１  ドア枠
２，５２  ドア
３，５３  躯体（柱）
４  壁
４ａ  下地材
４ｂ  仕上材
５，５７  躯体（梁）
６  天井
７，５６  幅木
１１，６１  縦枠
１２，６２  横枠
１３  欄間パネル
１５  本体枠
１６  補助枠
１８  ピボット蝶番
１９  スペーサ
２９  逃げ凹部
３０  調整金具
【図１】
2010196461.tif 000003
【図２】
2010196461.tif 000004
【図３】
2010196461.tif 000005
【図４】
2010196461.tif 000006
【図５】
2010196461.tif 000007
【図６】
2010196461.tif 000008
【図７】
2010196461.tif 000009
【図８】
2010196461.tif 000010
【図９】
2010196461.tif 000011
【図１０】
2010196461.tif 000012
【図１１】
2010196461.tif 000013
【図１２】
2010196461.tif 000014
【図１３】
2010196461.tif 000015